(57)【要約】【課題】ユーザーの利便性を向上させることができる情報処理装置を提供する。【解決手段】情報処理装置１００は、処理対象画像Ｇを示す情報に対して処理を実行する。処理対象画像Ｇは、文字画像ＣＧとマーキング画像ＭＧとを含む。情報処理装置１００は、処理部３１と、第１検出部３２と、第２検出部３３と、第３検出部３４と、算出部３５とを備える。処理部３１は、処理対象画像Ｇに対して処理を実行する。第１検出部３２は、処理対象画像Ｇのうち文字画像ＣＧに対応する文字領域ＣＲを検出する。第２検出部３３は、処理対象画像Ｇのうちマーキング画像ＭＧに対応するマーキング領域ＭＲを検出する。第３検出部３４は、文字領域ＣＲとマーキング領域ＭＲとの重複領域ＤＲを検出する。算出部３５は、文字領域ＣＲに対する重複領域ＤＲの占有率Ｒ１を算出する。処理部３１は、占有率Ｒ１に基づいて処理内容を変更する。【選択図】図２
2019102927.tif 000002
【特許請求の範囲】
【請求項１】
文字画像とマーキング画像とを含む処理対象画像を示す情報に対して処理を実行する情報処理装置であって、
前記処理対象画像に対して前記処理を実行する処理部と、
前記処理対象画像のうち前記文字画像に対応する文字領域を検出する第１検出部と、
前記処理対象画像のうち前記マーキング画像に対応するマーキング領域を検出する第２検出部と、
前記文字領域と前記マーキング領域との重複領域を検出する第３検出部と、
前記文字領域に対する前記重複領域の占有率を算出する算出部と
を備え、
前記処理部は、前記占有率に基づいて処理内容を変更する、情報処理装置。
【請求項２】
前記処理部は、
前記占有率が閾値よりも大きいか否かを判定し、
前記占有率が前記閾値よりも大きいと判定した場合、第１処理を実行し、
前記占有率が前記閾値よりも大きくないと判定した場合、前記第１処理と異なる第２処理を実行する、請求項１に記載の情報処理装置。
【請求項３】
確認画面を表示する表示部をさらに備え、
前記処理部は、
前記重複領域に対応する前記文字画像を抽出し、
抽出した前記文字画像に含まれる抽出文字を抽出し、
前記占有率が前記閾値よりも大きいと判定した場合、前記第１処理として、前記処理対象画像を示すデータのファイル名を前記抽出文字に設定する処理を実行し、
前記占有率が前記閾値よりも大きくないと判定した場合、前記第２処理として、前記抽出文字を前記ファイル名に設定するか否かを確認する確認画面を前記表示部に表示させる、請求項２に記載の情報処理装置。
【請求項４】
前記処理部は、
前記重複領域に対応する前記文字画像を抽出し、
抽出した前記文字画像に含まれる抽出文字を抽出し、
前記占有率が前記閾値よりも大きいと判定した場合、前記第１処理として、前記処理対象画像を示すデータのファイル名を前記抽出文字に設定する処理を実行し、
前記占有率が前記閾値よりも大きくないと判定した場合、前記第２処理として、前記ファイル名を設定する処理を中止する、請求項２に記載の情報処理装置。
【請求項５】
確認画面を表示する表示部をさらに備え、
前記処理部は、
前記重複領域に対応する前記文字画像を抽出し、
抽出した前記文字画像に含まれる抽出文字を抽出し、
前記占有率が前記閾値よりも大きいと判定した場合、前記第１処理として、前記処理対象画像が示すデータのファイル名を、前記抽出文字を第１変換形式で変換した文字に設定する処理を実行し、
前記占有率が前記閾値よりも大きくないと判定した場合、前記第２処理として、前記ファイル名を、前記抽出文字を第２変換形式で変換した文字に設定する処理を実行する、請求項２に記載の情報処理装置。
【請求項６】
前記処理部は、複数の閾値と前記占有率とを比較した結果に基づいて、処理内容を変更する、請求項２から請求項５のいずれか１項に記載の情報処理装置。
【請求項７】
前記複数の閾値は、第１閾値と第２閾値とを含み、
前記第２閾値は、前記第１閾値よりも小さく、
前記処理部は、
前記占有率が前記第１閾値よりも大きいと判定した場合、前記第１処理を実行し、
前記占有率が前記第１閾値よりも大きくなく、かつ前記第２閾値よりも大きいと判定した場合、前記第２処理を実行し、
前記占有率が前記第２閾値よりも大きくないと判定した場合、第３処理を実行し、
前記第１処理と、前記第２処理と、前記第３処理とはそれぞれ異なる、請求項６に記載の情報処理装置。
【請求項８】
前記処理対象画像を示す画像データには、処理情報が含まれており、
前記処理情報は、第１処理情報と第２処理情報とを含み、
前記第１処理情報は、前記第１処理の処理内容を示し、
前記第２処理情報は、前記第２処理の処理内容を示し、
前記処理部は、前記第１処理情報に基づいて前記第１処理を実行し、前記第２処理情報に基づいて前記第２処理を実行する、請求項２から請求項７のいずれか１項に記載の情報処理装置。
【請求項９】
前記第２検出部は、連続してマーキングされた線を示す画像を前記マーキング領域として検出する、請求項１から請求項８のいずれか１項に記載の情報処理装置。
【請求項１０】
前記第３検出部は、複数の前記重複領域を検出し、
前記算出部は、複数の前記重複領域ごとに前記占有率を算出する、請求項１から請求項９のいずれか１項に記載の情報処理装置。
【請求項１１】
前記算出部は、連続してマーキングされた線を示す画像に含まれる前記文字画像ごとに前記占有率を算出し、
前記処理部は、前記文字画像ごとに前記占有率に基づいて処理内容を変更する、請求項１から請求項１０のいずれか１項に記載の情報処理装置。
【請求項１２】
文字画像とマーキング画像とを含む処理対象画像を示す情報に対して処理を実行する情報処理装置であって、
前記処理対象画像に対して前記処理を実行する処理部と、
前記処理対象画像のうち前記文字画像に対応する文字領域を検出する第１検出部と、
前記処理対象画像のうち前記マーキング画像に対応するマーキング領域を検出する第２検出部と、
前記文字領域と前記マーキング領域との重複領域を検出する第３検出部と、
前記マーキング画像が示す線の種類を検出する第４検出部と
を備え、
前記処理部は、前記線の種類に基づいて、前記重複領域に対応する前記文字画像に対する処理内容を変更する、情報処理装置。
【発明の詳細な説明】
【技術分野】
【０００１】
本発明は、情報処理装置に関する。
【背景技術】
【０００２】
特許文献１に記載の画像処理装置は、蛍光ペンによって指定された領域に対して画像処理を行う。特許文献１に記載の画像処理装置では、蛍光ペンによる領域指定部分と、読み取るべきカラー原稿画像との反射率の違いに基づいて、蛍光ペンによって指定された領域を検出している。したがって、特許文献１に記載の画像処理装置では、カラー原稿であっても蛍光ペンによって指定された領域を検出できる。
【先行技術文献】
【特許文献】
【０００３】
【特許文献１】特開平０５−３４４３１４号公報
【発明の概要】
【発明が解決しようとする課題】
【０００４】
しかしながら、蛍光ペンによって指定された領域に対して、どのような処理を行うかはユーザーが指定する必要がある。したがって、処理を容易に変更することができない。その結果、ユーザーの利便性が低かった。
【０００５】
本発明は上記課題に鑑みてなされたものであり、その目的はユーザーの利便性を向上させることができる情報処理装置を提供することにある。
【課題を解決するための手段】
【０００６】
本発明に係る情報処理装置は、処理対象画像を示す情報に対して処理を実行する。処理対象画像は、文字画像とマーキング画像とを含む。前記情報処理装置は、処理部と、第１検出部と、第２検出部と、第３検出部と、算出部とを備える。前記処理部は、前記処理対象画像に対して前記処理を実行する。前記第１検出部は、前記処理対象画像のうち前記文字画像に対応する文字領域を検出する。前記第２検出部は、前記処理対象画像のうち前記マーキング画像に対応するマーキング領域を検出する。前記第３検出部は、前記文字領域と前記マーキング領域との重複領域を検出する。前記算出部は、前記文字領域に対する前記重複領域の占有率を算出する。前記処理部は、前記占有率に基づいて処理内容を変更する。
【０００７】
本発明に係る情報処理装置は、処理対象画像を示す情報に対して処理を実行する。処理対象画像は、文字画像とマーキング画像とを含む。前記情報処理装置は、処理部と、第１検出部と、第２検出部と、第３検出部と、第４検出部とを備える。前記処理部は、前記処理対象画像に対して前記処理を実行する。前記第１検出部は、前記処理対象画像のうち前記文字画像に対応する文字領域を検出する。前記第２検出部は、前記処理対象画像のうち前記マーキング画像に対応するマーキング領域を検出する。前記第３検出部は、前記文字領域と前記マーキング領域との重複領域を検出する。前記第４検出部は、前記マーキング画像が示す線の種類を検出する。前記処理部は、前記線の種類に基づいて、前記重複領域に対応する前記文字画像に対する処理内容を変更する。
【発明の効果】
【０００８】
本発明によれば、ユーザーの利便性を向上させることができる。
【図面の簡単な説明】
【０００９】
【図１】本発明の実施形態に係る情報処理装置を示す模式図である。
【図２】制御部を示すブロック図である。
【図３】処理対象画像を示す図である。
【図４】処理対象画像を示す図である。
【図５】処理対象画像を示す図である。
【図６】処理対象画像を示す図である。
【図７】操作パネルを示す図である。
【図８】本発明の実施形態に係る処理部の処理内容の変更方法を示すフローチャートである。
【図９】処理対象画像の拡大図である。
【図１０】処理対象画像の拡大図である。
【図１１】処理対象画像の拡大図である。
【図１２】本発明の実施形態に係る処理部の処理内容の変更方法を示すフローチャートである。
【図１３】制御部を示すブロック図である。
【図１４】処理対象画像を示す図である。
【図１５】処理対象画像を示す図である。
【図１６】本発明の実施形態に係る処理部の処理内容の変更方法を示すフローチャートである。
【発明を実施するための形態】
【００１０】
以下、本発明の実施形態について、図面を参照しながら説明する。なお、図中、同一または相当部分については同一の参照符号を付して説明を繰り返さない。
【００１１】
図１を参照して本発明に係る情報処理装置１００の実施形態を説明する。図１は、本発明の実施形態に係る情報処理装置１００を示す模式図である。情報処理装置１００は、例えば、複写機、プリンター、または複合機である。以下では、一例として、情報処理装置１００がプリンター機能と複写機能とファクシミリ機能とを有するモノクロ複合機である場合について説明する。
【００１２】
図１に示すように、情報処理装置１００は、画像読取部１０と、画像形成部２０と、制御部３０と、記憶部４０と、通信部５０と、原稿台１２と、原稿搬送装置１１０と、操作パネル１２０と、給紙カセット１３０と、用紙搬送部１４０と、用紙排出部１７０とを備える。
【００１３】
画像読取部１０は、原稿Ｍに形成された画像を読み取り、読取画像を取得する。詳しくは、画像読取部１０は、原稿搬送装置１１０によって搬送された原稿Ｍに形成された画像、または、原稿台１２に載置された原稿Ｍに形成された画像を読み取り、読取画像を取得する。
【００１４】
画像形成部２０は、画像読取部１０によって読み取られた読取画像に基づいて記録媒体Ｐに画像を形成する。
【００１５】
制御部３０は、ＣＰＵ（Ｃｅｎｔｒａｌ  Ｐｒｏｃｅｓｓｉｎｇ  Ｕｎｉｔ）のようなプロセッサー、およびＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）等によって構成されるハードウェア回路である。制御部３０は、記憶部４０に記憶された制御プログラムをプロセッサーが読み出して実行することによって、情報処理装置１００の各部の動作を制御する。制御部３０は、ＯＣＲ（Ｏｐｔｉｃａｌ  Ｃｈａｒａｃｔｅｒ  Ｒｅｃｏｇｎｉｔｉｏｎ）機能を有する。ＯＣＲ機能は、読取原稿に形成された画像に含まれる文字（例えば、平仮名、カタカナ、アルファベッド、漢字、数字、記号）を光学的に認識し、文字を文字コードに変換する機能である。
【００１６】
記憶部４０は、ＨＤＤ（Ｈａｒｄ  Ｄｉｓｋ  Ｄｒｉｖｅ）、ＲＡＭ（Ｒａｎｄｏｍ  Ａｃｃｅｓｓ  Ｍｅｍｏｒｙ）、およびＲＯＭ（Ｒｅａｄ  Ｏｎｌｙ  Ｍｅｍｏｒｙ）によって構成される。記憶部４０は、外部メモリーを含んでいてもよい。外部メモリーは、リムーバブルメディアである。記憶部４０は、外部メモリーとして、例えば、ＵＳＢ（Ｕｎｉｖｅｒｓａｌ  Ｓｅｒｉａｌ  Ｂｕｓ）メモリー、およびＳＤ（Ｓｅｃｕｒｅ  Ｄｉｇｉｔａｌ）カードを含む。記憶部４０は、各種のデータ、および、情報処理装置１００の各部の動作を制御するための制御プログラムを記憶する。制御プログラムは、制御部３０によって実行される。
【００１７】
通信部５０は、同じ通信方式（プロトコル）を利用する通信機が搭載された電子機器との間で通信が可能である。本実施形態において、通信部５０は、ＬＡＮ（Ｌｏｃａｌ  Ａｒｅａ  Ｎｅｔｗｏｒｋ）などのネットワーク網を介して外部装置と通信する。通信部５０は、例えば、ＬＡＮボードのような通信モジュール（通信機器）である。
【００１８】
操作パネル１２０は、ユーザーに情報処理装置１００を操作させるために用いられる。操作パネル１２０は、表示部１２２を有する。表示部１２２には、ユーザーに情報処理装置１００を操作させるための入力画面が表示される。また、表示部１２２は、確認画面を表示する。確認画面については、図７を参照して後述する。
【００１９】
給紙カセット１３０には、印刷用の記録媒体Ｐが収容されている。印刷を行う際、給紙カセット１３０内の記録媒体Ｐは、画像形成部２０を経由して用紙排出部１７０から排出されるように、用紙搬送部１４０によって搬送される。
【００２０】
情報処理装置１００は、処理対象画像に対して処理を実行する。処理対象画像は、文字画像とマーキング画像とを含む。処理対象画像は、例えば、画像読取部１０によって原稿Ｍに形成された画像を読み取った画像である。原稿Ｍは、ユーザーによって筆記具（例えば、ピンク色の蛍光ペン）で文字に対してマーキングがされている。あるいは、処理対象画像は、通信部５０を介して外部装置から送信された画像でもよい。なお、処理対象画像は、ユーザーによってソフトを使用してデータ上で文字に対してマーキングされている画像でもよい。本実施形態では、情報処理装置１００は、処理対象画像中のマーキングされている文字を、処理対象画像を示すデータのファイル名に設定する。以下、「処理対象画像を示すデータのファイル名」を「ファイル名」と記載することがある。
【００２１】
図１および図２を参照して、ファイル名の設定方法について説明する。図２は、制御部３０を示すブロック図である。
【００２２】
図２に示すように、制御部３０は、処理部３１と、第１検出部３２と、第２検出部３３と、第３検出部３４と、算出部３５とを有する。
【００２３】
処理部３１は、処理対象画像に対して処理を実行する。
【００２４】
第１検出部３２は、文字領域を検出する。文字領域は、処理対象画像のうち文字画像に対応する領域である。
【００２５】
第２検出部３３は、マーキング領域を検出する。マーキング領域は、処理対象画像のうちマーキング画像に対応する領域である。詳しくは、第２検出部３３は、連続してマーキングされた線を示す画像をマーキング画像として検出する。
【００２６】
第３検出部３４は、重複領域を検出する。重複領域は、文字領域とマーキング領域とが重複する領域である。
【００２７】
算出部３５は、占有率Ｒ１を算出する。占有率Ｒ１は、文字領域に対する重複領域の占める割合を示す。すなわち、占有率Ｒ１は、マーキング領域が文字領域に対して重なっている割合を示す。
【００２８】
処理部３１は、占有率Ｒ１に基づいて処理内容を変更する。詳しくは、処理部３１は、占有率Ｒ１が閾値ＴＨよりも大きいか否かを判定する。処理部３１は、占有率Ｒ１が閾値ＴＨよりも大きいと判定した場合、第１処理を実行する。処理部３１は、占有率Ｒ１が閾値ＴＨよりも大きくないと判定した場合、第１処理とは異なる第２処理を実行する。本実施形態では、第１処理として、処理部３１は、ファイル名を設定する。また、第２処理として、処理部３１は、表示部１２２に確認画面を表示する。
【００２９】
第１処理の処理内容と、第２処理の処理内容とは、記憶部４０に記憶されている。詳しくは、記憶部４０には、処理情報が記憶されている。処理情報は、第１処理情報と第２処理情報とを含む。第１処理情報は、第１処理の処理内容を示す。第２処理情報は、第２処理の処理内容を示す。処理部３１は、第１処理情報に基づいて第１処理を実行する。処理部３１は、第２処理情報に基づいて第２処理を実行する。
【００３０】
なお、処理対象画像を示す画像データに、処理情報が含まれていてもよい。この場合、処理部３１は、画像データに含まれている処理情報に基づいて処理を実行する。
【００３１】
図１〜図７を参照して、情報処理装置１００の処理内容の変更方法についてさらに説明する。図３〜図６は、処理対象画像Ｇを示す図である。図７は、操作パネル１２０を示す図である。
【００３２】
まず、図１〜図４を参照して、マーキングが文字に対して十分に重なっている場合の情報処理装置１００の処理内容の変更方法について説明する。
【００３３】
図３に示すように、処理対象画像Ｇは、文字画像ＣＧと、マーキング画像ＭＧとを含む。文字画像ＣＧ１は、文字「ＡＢＣＤＥ」を示す画像である。文字画像ＣＧ２は、文字「１２３４５」を示す画像である。マーキング画像ＭＧは、文字画像ＣＧ１の全てと重なっている。マーキング画像ＭＧは、連続してマーキングされた線である。ここでは、マーキング画像ＭＧは、直線状である。
【００３４】
図４に示すように、第１検出部３２は、文字領域ＣＲを検出する。文字領域ＣＲは、処理対象画像Ｇのうち文字画像ＣＧに対応する領域である。ここでは、第１検出部３２は、文字領域ＣＲ１と文字領域ＣＲ２とを検出する。文字領域ＣＲ１は、文字画像ＣＧ１に対応する領域である。文字領域ＣＲ２は、文字画像ＣＧ２に対応する領域である。
【００３５】
第２検出部３３は、マーキング領域ＭＲを検出する。マーキング領域ＭＲは、処理対象画像Ｇのうちマーキング画像ＭＧに対応する領域である。
【００３６】
第３検出部３４は、重複領域ＤＲを検出する。重複領域ＤＲは、文字領域ＣＲとマーキング領域ＭＲとが重複する領域である。ここでは、重複領域ＤＲは、文字領域ＣＲ１とマーキング領域ＭＲとが重複する領域である。
【００３７】
算出部３５は、占有率Ｒ１を算出する。占有率Ｒ１は、文字領域ＣＲに対する重複領域ＤＲの占める割合を示す。ここでは、算出部３５は、占有率Ｒ１を「１００％」であると算出する。
【００３８】
処理部３１は、重複領域ＤＲに対応する文字画像を抽出する。ここでは、処理部３１は、文字「ＡＢＣＤＥ」を示す文字画像を抽出する。そして、処理部３１は、抽出文字を抽出する。抽出文字は、抽出した文字画像に含まれる文字である。詳しくは、処理部３１は、ＯＣＲ機能によって、抽出文字「ＡＢＣＤＥ」を抽出する。
【００３９】
処理部３１は、占有率Ｒ１に基づいて処理内容を変更する。詳しくは、処理部３１は、占有率Ｒ１が閾値ＴＨよりも大きいか否かを判定する。閾値ＴＨは、例えば、「６０％」である。処理部３１は、占有率Ｒ１が閾値ＴＨよりも大きいと判定し、第１処理を実行する。詳しくは、第１処理として、処理部３１は、処理対象画像Ｇを示すデータのファイル名を抽出文字に設定する。例えば、処理部３１は、ファイル名を「ＡＢＣＤＥ．ｐｄｆ」に設定する。
【００４０】
続いて、図１、図２および図５〜図７を参照して、マーキングが文字に対してずれている場合の情報処理装置１００の処理内容の変更方法について説明する。図５および図６の処理対象画像Ｇは、マーキング画像ＭＧが文字画像ＣＧ１に対してずれている点を除いて、図３および図４の処理対象画像Ｇと同様な構成を有するため、重複部分については説明を省略する。
【００４１】
図５に示すように、マーキング画像ＭＧは、文字画像ＣＧ１に対してずれている。
【００４２】
図６に示すように、第１検出部３２は、文字領域ＣＲ１と文字領域ＣＲ２とを検出する。第２検出部３３は、マーキング領域ＭＲを検出する。第３検出部３４は、重複領域ＤＲを検出する。
【００４３】
算出部３５は、占有率Ｒ１を算出する。ここでは、算出部３５は、占有率Ｒ１を「４５％」であると算出する。
【００４４】
処理部３１は、ＯＣＲ機能によって、抽出文字「ＡＢＣＤＥ」を抽出する。
【００４５】
処理部３１は、占有率Ｒ１に基づいて処理内容を変更する。詳しくは、処理部３１は、占有率Ｒ１が閾値ＴＨよりも大きいか否かを判定する。閾値ＴＨは、例えば、「６０％」である。処理部３１は、占有率Ｒ１が閾値ＴＨよりも大きくないと判定し、第２処理を実行する。詳しくは、図７に示すように、第２処理として、処理部３１は、確認画面Ａを表示部１２２に表示させる。確認画面Ａは、抽出文字をファイル名に設定するか否かを確認する画面である。確認画面Ａは、例えば、「ファイル名は、ＡＢＣＤＥでよろしいですか？」のような通知文を示す画面である。
【００４６】
さらに、確認画面Ａは、確定ボタン１２５と、中止ボタン１２６とを含む。確定ボタン１２５および中止ボタン１２６は、例えば、ソフトウェアボタンである。
【００４７】
ユーザーによって確定ボタン１２５がタッチされることによって、処理部３１は、処理対象画像Ｇを示すデータのファイル名を抽出文字に設定する。例えば、処理部３１は、ファイル名を「ＡＢＣＤＥ．ｐｄｆ」に設定する。
【００４８】
一方、ユーザーによって中止ボタン１２６がタッチされることによって、処理部３１は、データのファイル名を抽出文字には設定しない。この場合、処理部３１は、ファイル名を手動で入力するための画面を表示部１２２に表示させてもよい。
【００４９】
なお、処理部３１は、占有率Ｒ１が閾値ＴＨよりも大きくないと判定した場合、第２処理として、確認画面Ａを表示部１２２に表示させることなく、ファイル名を設定する処理を中止してもよい。
【００５０】
図１、図２および図８を参照して、処理部３１の処理内容の変更方法について説明する。図８は、本発明の実施形態に係る処理部３１の処理内容の変更方法を示すフローチャートである。図８に示すステップＳ１０２〜ステップＳ１１６の処理が実行されることによって、処理内容の変更が行われる。
【００５１】
ステップＳ１０２：処理部３１は、処理対象画像Ｇを取得する。処理対象画像Ｇは、例えば、画像読取部１０によって原稿Ｍに形成された画像を読み取った画像である。あるいは、処理対象画像Ｇは、通信部５０を介して外部装置から送信された画像でもよい。処理は、ステップＳ１０４に進む。
【００５２】
ステップＳ１０４：第１検出部３２は、文字領域ＣＲを検出する。処理は、ステップＳ１０６に進む。
【００５３】
ステップＳ１０６：第２検出部３３は、マーキング領域ＭＲを検出する。処理は、ステップＳ１０８に進む。
【００５４】
ステップＳ１０８：第３検出部３４は、重複領域ＤＲを検出する。処理は、ステップＳ１１０に進む。
【００５５】
ステップＳ１１０：算出部３５は、占有率Ｒ１を算出する。処理は、ステップＳ１１２に進む。
【００５６】
ステップＳ１１２：処理部３１は、占有率Ｒ１が閾値ＴＨよりも大きいか否かを判定する。処理部３１が、占有率Ｒ１が閾値ＴＨよりも大きくないと判定した場合（ステップＳ１１２：Ｎｏ）、処理は、ステップＳ１１６に進む。処理部３１が、占有率Ｒ１が閾値ＴＨよりも大きいと判定した場合（ステップＳ１１２：Ｙｅｓ）、処理は、ステップＳ１１４に進む。
【００５７】
ステップＳ１１４：処理部３１は、第１処理を実行する。第１処理は、例えば、ファイル名を設定する処理である。処理は、終了する。
【００５８】
ステップＳ１１６：処理部３１は、第２処理を実行する。第２処理は、例えば、確認画面Ａを表示部１２２に表示させる処理である。処理は、終了する。
【００５９】
以上、図１〜図８を参照して説明したように、情報処理装置１００では、処理部３１は、占有率Ｒ１に基づいて処理内容を変更する。したがって、ユーザーは、文字に対するマーキングの重なりを変更することによって、処理を容易に変更することができる。したがって、ユーザーの利便性を向上させることができる。
【００６０】
また、処理部３１は、占有率Ｒ１が閾値ＴＨよりも大きいと判定した場合、第１処理を実行する。一方、占有率Ｒ１が閾値ＴＨよりも大きくないと判定した場合、第２処理を実行する。したがって、ユーザーは、文字に対するマーキングの重なりを変更することによって、処理を容易に変更することができる。したがって、ユーザーの利便性を向上させることができる。
【００６１】
また、処理部３１は、占有率Ｒ１が閾値ＴＨよりも大きいと判定した場合、第１処理として、処理対象画像Ｇを示すデータのファイル名を抽出文字に設定する処理を実行する。したがって、ユーザーは、文字に対してマーキングすることによって、ファイル名を自動的に設定することができる。一方、処理部３１は、占有率Ｒ１が閾値ＴＨよりも大きくないと判定した場合、第２処理として、抽出文字をファイル名に設定するか否かを確認する確認画面Ａを表示部１２２に表示させる。したがって、間違ったファイル名が設定されることを抑制することができる。
【００６２】
なお、占有率Ｒ１に基づいて、ファイル名の変換形式を変更してもよい。図１、図２および図９を参照して、処理部３１の処理内容の変更方法について説明する。図９は、処理対象画像Ｇの拡大図である。
【００６３】
本実施形態では、処理部３１が、占有率Ｒ１が閾値ＴＨよりも大きいと判定した場合、第１処理として、処理対象画像Ｇが示すデータのファイル名を、抽出文字を第１変換形式で変換した文字に設定する処理を実行する。一方、処理部３１が、占有率Ｒ１が閾値ＴＨよりも大きくないと判定した場合、第２処理として、ファイル名を、抽出文字を第２変換形式で変換した文字に設定する処理を実行する。ここでは、第１変換形式は、大文字である。第２変換形式は、小文字である。
【００６４】
まず、占有率Ｒ１が閾値ＴＨよりも大きい場合について説明する。すなわち、文字に対して太い線でマーキングされた場合について説明する。
【００６５】
図９（ａ）に示すように、第１検出部３２は、文字領域ＣＲ１を検出する。第２検出部３３は、マーキング領域ＭＲを検出する。第３検出部３４は、重複領域ＤＲを検出する。
【００６６】
算出部３５は、占有率Ｒ１を算出する。ここでは、算出部３５は、占有率Ｒ１を「１００％」であると算出する。
【００６７】
処理部３１は、ＯＣＲ機能によって、抽出文字「ＡＢＣＤＥ」を抽出する。
【００６８】
処理部３１は、占有率Ｒ１に基づいて処理内容を変更する。詳しくは、処理部３１は、占有率Ｒ１が閾値ＴＨよりも大きいか否かを判定する。閾値ＴＨは、例えば、「６０％」である。処理部３１は、占有率Ｒ１が閾値ＴＨよりも大きくないと判定し、第１処理を実行する。詳しくは、第１処理として、処理部３１は、ファイル名を、抽出文字を第１変換形式で変換した文字に設定する処理を実行する。例えば、処理部３１は、ファイル名を「ＡＢＣＤＥ．ｐｄｆ」に設定する。
【００６９】
続いて、占有率Ｒ１が閾値ＴＨよりも大きくない場合について説明する。すなわち、文字に対して細い線でマーキングされた場合について説明する。
【００７０】
図９（ｂ）に示すように、第１検出部３２は、文字領域ＣＲ１を検出する。第２検出部３３は、マーキング領域ＭＲを検出する。第３検出部３４は、重複領域ＤＲを検出する。
【００７１】
算出部３５は、占有率Ｒ１を算出する。ここでは、算出部３５は、占有率Ｒ１を「３５％」であると算出する。
【００７２】
処理部３１は、ＯＣＲ機能によって、抽出文字「ＡＢＣＤＥ」を抽出する。
【００７３】
処理部３１は、占有率Ｒ１に基づいて処理内容を変更する。詳しくは、処理部３１は、占有率Ｒ１が閾値ＴＨよりも大きいか否かを判定する。閾値ＴＨは、例えば、「６０％」である。処理部３１は、占有率Ｒ１が閾値ＴＨよりも大きくないと判定し、第２処理を実行する。詳しくは、第２処理として、処理部３１は、ファイル名を、抽出文字を第２変換形式で変換した文字に設定する処理を実行する。例えば、処理部３１は、ファイル名を「ａｂｃｄｅ．ｐｄｆ」に設定する。
【００７４】
なお、本実施形態では、第１変換形式は、大文字であり、第２変換形式は、小文字であったが、本発明はこれに限定されない。例えば、第１変換形式が、漢字、第２変換形式がひらがなでもよい。
【００７５】
以上、図１、図２および図９を参照して説明したように、処理部３１は、占有率Ｒ１が閾値ＴＨよりも大きいと判定した場合、第１処理として、処理対象画像Ｇが示すデータのファイル名を、抽出文字を第１変換形式で変換した文字に設定する処理を実行する。一方、処理部３１は、占有率Ｒ１が閾値ＴＨよりも大きくないと判定した場合、第２処理として、ファイル名を、抽出文字を第２変換形式で変換した文字に設定する処理を実行する。したがって、ユーザーは、マーキングする線の太さを変更することによってファイル名の変換形式を容易に設定することができる。その結果、ユーザーの利便性を向上させることができる。
【００７６】
なお、マーキング画像ＭＧは、直線状ではなく途中で曲がっていてもよい。図１、図２および図１０を参照して、処理部３１の処理内容の変更方法について説明する。図１０は、処理対象画像Ｇの拡大図である。
【００７７】
図１０（ａ）に示すように、処理対象画像Ｇは、文字画像ＣＧ１と、マーキング画像ＭＧとを含む。文字画像ＣＧ１は、文字「ＡＢＣＤＥＦＧ」を示す画像である。文字画像ＣＧ１は、文字画像ＣＧ１１と、文字画像ＣＧ１２と、文字画像ＣＧ１２とを含む。文字画像ＣＧ１１は、文字「ＡＢ」を示す画像である。文字画像ＣＧ１２は、文字「ＣＤＥ」を示す画像である。文字画像ＣＧ１３は、文字「ＦＧ」を示す画像である。マーキング画像ＭＧは、文字画像ＣＧ１のうち、文字画像ＣＧ１１の全てと、文字画像ＣＧ１３の全てと重なっている。
【００７８】
図１０（ｂ）に示すように、第１検出部３２は、文字領域ＣＲ１を検出する。第２検出部３３は、マーキング領域ＭＲを検出する。第３検出部３４は、重複領域ＤＲ１と重複領域ＤＲ２とを検出する。本実施形態では、重複領域ＤＲは複数である。
【００７９】
算出部３５は、重複領域ＤＲごとに占有率Ｒ１を算出する。ここでは、算出部３５は、重複領域ＤＲ１の占有率Ｒ１を「１００％」であると算出する。算出部３５は、重複領域ＤＲ２の占有率Ｒ１を「１００％」であると算出する。
【００８０】
処理部３１は、ＯＣＲ機能によって、抽出文字「ＡＢＣＤＥＦＧ」を抽出する。
【００８１】
本実施形態では、処理部３１は、占有率Ｒ１に基づいて、重複領域ＤＲに対応する文字ごとに、処理内容を変更する。詳しくは、処理部３１は、重複領域ＤＲに対応する文字ごとに、占有率Ｒ１が閾値ＴＨよりも大きいか否かを判定する。閾値ＴＨは、例えば、「６０％」である。また、本実施形態では、処理部３１は、占有率Ｒ１が閾値ＴＨよりも大きい場合、第１処理として、抽出文字をファイル名に適用する。一方、占有率Ｒ１が閾値ＴＨよりも小さい場合、第２処理として、抽出文字をファイル名に適用しない。ここでは、処理部３１は、抽出文字のうち占有率Ｒ１が閾値ＴＨよりも大きい文字「ＡＢ」と、文字「ＦＧ」とを結合した文字をファイル名として設定する。一方、占有率Ｒ１が閾値ＴＨよりも大きくない文字「ＣＤＥ」は、ファイル名に適用しない。したがって、例えば、処理部３１は、ファイル名を「ＡＢＦＧ．ｐｄｆ」に設定する。
【００８２】
また、閾値ＴＨは１つではなく、閾値ＴＨは複数であってもよい。図１、図２および図１１を参照して、処理部３１の処理内容の変更方法について説明する。図１１は、処理対象画像Ｇの拡大図である。本実施形態では、処理部３１は、第１閾値ＴＨ１と、第２閾値ＴＨ２とに基づいて、処理内容を変更する。第２閾値ＴＨ２は、第１閾値ＴＨ１よりも小さい。例えば、第１閾値ＴＨ１は、「６０％」であり、第２閾値ＴＨ２は、「２０％」である。ここでは、処理部３１は、例えば、占有率Ｒ１＞第１閾値ＴＨ１の場合、第１処理を実行する。処理部３１は、例えば、第１閾値ＴＨ１≧占有率Ｒ１＞第２閾値ＴＨ２の場合、第２処理を実行する。占有率Ｒ１≦第２閾値ＴＨ２の場合、第３処理を実行する。第１処理は、第１変換形式で抽出文字をファイル名に設定する。第２処理は、第２変換形式で抽出文字をファイル名に設定する。第３処理は、抽出文字をファイル名に適用しない。第１処理と、第２処理と、第３処理とはそれぞれ異なる。
【００８３】
図１１（ａ）に示すように、処理対象画像Ｇは、文字画像ＣＧ１と、マーキング画像ＭＧとを含む。文字画像ＣＧ１は、文字「ＡＢＣＤＥＦＧ」を示す画像である。文字画像ＣＧ１は、文字画像ＣＧ１１と、文字画像ＣＧ１２と、文字画像ＣＧ１３とを含む。文字画像ＣＧ１１は、文字「ＡＢ」を示す画像である。文字画像ＣＧ１２は、文字「ＣＤＥ」を示す画像である。文字画像ＣＧ１３は、文字「ＦＧ」を示す画像である。マーキング画像ＭＧは、文字画像ＣＧ１のうち、文字画像ＣＧ１１の全てと重なっている。また、マーキング画像ＭＧは、文字画像ＣＧ１のうち、文字画像ＣＧ１３の一部と重なっている。
【００８４】
図１１（ｂ）に示すように、第１検出部３２は、文字領域ＣＲ１を検出する。第２検出部３３は、マーキング領域ＭＲを検出する。第３検出部３４は、重複領域ＤＲ１と重複領域ＤＲ２とを検出する。本実施形態では、重複領域ＤＲは複数である。
【００８５】
算出部３５は、重複領域ＤＲごとに占有率Ｒ１を算出する。ここでは、算出部３５は、重複領域ＤＲ１の占有率Ｒ１を「１００％」であると算出する。算出部３５は、重複領域ＤＲ２の占有率Ｒ１を「３５％」であると算出する。
【００８６】
処理部３１は、ＯＣＲ機能によって、抽出文字「ＡＢＣＤＥＦＧ」を抽出する。
【００８７】
本実施形態では、処理部３１は、占有率Ｒ１に基づいて、重複領域ＤＲに対応する文字ごとに、処理内容を変更する。処理部３１は、占有率Ｒ１＞第１閾値ＴＨ１となる文字「ＡＢ」を大文字「ＡＢ」に変換してファイル名とする。また、第１閾値ＴＨ１≧占有率Ｒ１＞第２閾値ＴＨ２となる文字「ＦＧ」を小文字「ｆｇ」に変換してファイル名とする。また、占有率Ｒ１≦第２閾値ＴＨ２となる文字「ＣＤＥ」は、ファイル名に適用しない。したがって、例えば、処理部３１は、ファイル名を「ＡＢｆｇ．ｐｄｆ」に設定する。
【００８８】
なお、算出部３５は、連続してマーキングされた線を示す画像に含まれる文字画像ごとに占有率Ｒ１を算出し、処理部３１は、文字画像ごとに占有率Ｒ１に基づいて処理内容を変更してもよい。図１、図２および図１１を参照して、処理部３１の処理内容の変更方法について説明する。
【００８９】
図１１に示すように、算出部３５は、連続してマーキングされた線を示す画像、すなわちマーキング画像ＭＧに含まれる文字画像ごとに占有率Ｒ１を算出する。ここでは、ここでは、マーキング画像ＭＧに含まれる文字画像は、文字画像「Ａ」、文字画像「Ｂ」、文字画像「Ｃ」、文字画像「Ｄ」、文字画像「Ｅ」、文字画像「Ｆ」および文字画像「Ｇ」である。算出部３５は、文字画像「Ａ」、文字画像「Ｂ」、文字画像「Ｃ」、文字画像「Ｄ」、文字画像「Ｅ」、文字画像「Ｆ」および文字画像「Ｇ」の占有率Ｒ１をそれぞれ、「１００％」、「１００％」、「０％」、「０％」、「０％」、「３５％」および「３５％」と算出する。
【００９０】
処理部３１は、文字画像ごとに占有率Ｒ１に基づいて処理内容を変更する。詳しくは、処理部３１は、占有率Ｒ１＞第１閾値ＴＨ１となる文字画像「Ａ」および文字画像「Ｂ」を大文字「Ａ」および「Ｂ」に変換してファイル名とする。また、第１閾値ＴＨ１≧占有率Ｒ１＞第２閾値ＴＨ２となる文字画像「Ｆ」および文字画像「Ｇ」を小文字「ｆ」および「ｇ」に変換してファイル名とする。また、占有率Ｒ１≦第２閾値ＴＨ２となる文字画像「Ｃ」、文字画像「Ｄ」および文字画像「Ｅ」は、ファイル名に適用しない。したがって、例えば、処理部３１は、ファイル名を「ＡＢｆｇ．ｐｄｆ」に設定する。
【００９１】
図１、図２および図１２を参照して、処理部３１の処理内容の変更方法について説明する。図１２は、本発明の実施形態に係る処理部３１の処理内容の変更方法を示すフローチャートである。図１２に示すステップＳ２０２〜ステップＳ２１８の処理が実行されることによって、処理内容の変更が行われる。図１２のフローチャートに示すように、処理部３１の処理内容の変更方法は、第１閾値ＴＨ１と第２閾値ＴＨ２とに基づいて処理内容を変更する点を除いて、図８のフローチャートに示す処理部３１の処理内容の変更方法と同様の処理であるため、重複部分については説明を省略する。
【００９２】
ステップＳ２０２〜ステップＳ２１０：図８のフローチャートに示すステップＳ１０２〜ステップＳ１１０と同様の処理が実行され、算出部３５が占有率Ｒ１を算出する。処理は、ステップＳ２１２に進む。
【００９３】
ステップＳ２１２：処理部３１は、占有率Ｒ１の値を判定する。占有率Ｒ１＞第１閾値ＴＨ１であると判定した場合、処理は、ステップＳ２１４に進む。処理部３１が、第１閾値ＴＨ１≧占有率Ｒ１＞第２閾値ＴＨ２であると判定した場合、処理は、ステップＳ２１６に進む。処理部３１が、占有率Ｒ１≦第２閾値ＴＨ２であると判定した場合、処理は、ステップＳ２１８に進む。
【００９４】
ステップＳ２１４：処理部３１は、第１処理を実行する。処理は、終了する。
【００９５】
ステップＳ２１６：処理部３１は、第２処理を実行する。処理は、終了する。
【００９６】
ステップＳ２１６：処理部３１は、第３処理を実行する。処理は、終了する。
【００９７】
以上、図１１および図１２を参照して説明したように、処理部３１は、複数の閾値ＴＨと占有率Ｒ１とを比較した結果に基づいて、処理内容を変更する。したがって、ユーザーは、文字に対するマーキングの重なりを変更することによって、複数の処理を容易に変更することができる。したがって、ユーザーの利便性を向上させることができる。
【００９８】
図１〜図１２を参照して説明した情報処理装置１００では、占有率Ｒ１に基づいて処理内容を変更していたが、マーキング画像ＭＧが示す線の種類に基づいて処理内容を変更してもよい。図１および図１３を参照して、本発明に係る情報処理装置１００の実施形態を説明する。図１３は、制御部３０を示すブロック図である。図１３に示す制御部３０は、制御部３０が算出部３５の代わりに第４検出部３６を有する点を除いて図２に示す制御部３０と同様な構成を有するため、重複部分については説明を省略する。
【００９９】
図１３に示すように、制御部３０は、処理部３１と、第１検出部３２と、第２検出部３３と、第３検出部３４と、第４検出部３６とを有する。
【０１００】
処理部３１は、処理対象画像Ｇに対して処理を実行する。
【０１０１】
第１検出部３２は、文字領域ＣＲを検出する。文字領域ＣＲは、処理対象画像Ｇのうち文字画像ＣＧに対応する領域である。
【０１０２】
第２検出部３３は、マーキング領域ＭＲを検出する。マーキング領域ＭＲは、処理対象画像Ｇのうちマーキング画像ＭＧに対応する領域である。詳しくは、第２検出部３３は、連続してマーキングされた線を示す画像をマーキング画像ＭＧとして検出する。
【０１０３】
第３検出部３４は、重複領域ＤＲを検出する。重複領域ＤＲは、文字領域ＣＲとマーキング領域ＭＲとが重複する領域である。
【０１０４】
第４検出部３６は、マーキング画像ＭＧが示す線の種類を検出する。
【０１０５】
処理部３１は、線の種類に基づいて、重複領域ＤＲに対応する文字画像ＣＧに対する処理内容を変更する。
【０１０６】
図１および図１３〜図１５を参照して、情報処理装置１００の処理内容の変更方法について説明する。図１４および図１５は、処理対象画像Ｇを示す図である。
【０１０７】
本実施形態では、処理部３１は、線の種類に基づいて、重複領域ＤＲに対応する文字画像ＣＧに対する処理内容を変更する。例えば、処理部３１は、線の種類が実線の場合、第１処理を実行する。一方、処理部３１は、線の種類が鎖線の場合、第２処理を実行する。第１処理は、例えば、ファイル名として大文字を設定する処理である。第２処理は、例えば、ファイル名として小文字を設定する処理である。
【０１０８】
まず、図１４を参照して、線の種類が実線である場合について説明する。図１４（ａ）に示すように、処理対象画像Ｇは、文字画像ＣＧ１と、マーキング画像ＭＧとを含む。文字画像ＣＧ１は、文字「ＡＢＣＤＥ」を示す画像である。マーキング画像ＭＧは、実線である。
【０１０９】
図１４（ｂ）に示すように、第１検出部３２は、文字領域ＣＲ１を検出する。第２検出部３３は、マーキング領域ＭＲを検出する。第３検出部３４は、重複領域ＤＲを検出する。
【０１１０】
第４検出部３６は、マーキング画像ＭＧが示す線の種類を検出する。ここでは、第４検出部３６は、マーキング画像ＭＧが示す線の種類を、実線であると検出する。
【０１１１】
処理部３１は、線の種類に基づいて、重複領域ＤＲに対応する文字画像ＣＧに対する処理内容を変更する。例えば、処理部３１は、ファイル名を「ＡＢＣＤＥ．ｐｄｆ」に設定する。
【０１１２】
続いて、図１５を参照して、線の種類が鎖線である場合について説明する。図１５（ａ）に示すように、処理対象画像Ｇは、文字画像ＣＧ１と、マーキング画像ＭＧとを含む。文字画像ＣＧ１は、文字「ＡＢＣＤＥ」を示す画像である。マーキング画像ＭＧは、鎖線である。
【０１１３】
第４検出部３６は、マーキング画像ＭＧが示す線の種類を検出する。ここでは、第４検出部３６は、マーキング画像ＭＧが示す線の種類を、鎖線であると検出する。第４検出部３６は、隣接するマーキング画像ＭＧの距離ｄ１が所定の閾値以下である場合に、連続してマーキングされた線として判定する。隣接するマーキング画像ＭＧの距離ｄ１が所定の閾値よりも大きい場合、マーキング画像ＭＧは連続していないと判定する。なお、隣接するマーキング画像ＭＧの距離ｄ１が所定の閾値よりも大きい場合、連続してマーキングされた線であるか否かを問い合わせる画面を、処理部３１は、表示部１２２に表示させるようにしてもよい。
【０１１４】
処理部３１は、線の種類に基づいて、重複領域ＤＲに対応する文字画像ＣＧに対する処理内容を変更する。例えば、処理部３１は、ファイル名を「ａｂｃｄｅ．ｐｄｆ」に設定する。
【０１１５】
図１、図１３および図１６を参照して、処理部３１の処理内容の変更方法について説明する。図１６は、本発明の実施形態に係る処理部３１の処理内容の変更方法を示すフローチャートである。図１６に示すステップＳ３０２〜ステップＳ３１６の処理が実行されることによって、処理内容の変更が行われる。図１６のフローチャートに示すように、処理部３１の処理内容の変更方法は、線の種類に基づいて処理内容を変更する点を除いて、図８のフローチャートに示す処理部３１の処理内容の変更方法と同様の処理であるため、重複部分については説明を省略する。
【０１１６】
ステップＳ３０２〜ステップＳ３０８：図８のフローチャートに示すステップＳ１０２〜ステップＳ１０８と同様の処理が実行され、第３検出部３４が重複領域ＤＲを検出する。処理は、ステップＳ３１０に進む。
【０１１７】
ステップＳ３１０：第４検出部３６は、マーキング画像ＭＧが示す線の種類を検出する。処理は、ステップＳ３１２に進む。
【０１１８】
ステップＳ３１２：処理部３１は、線の種類を判定する。処理部３１が、線の種類が鎖線であると判定した場合（ステップＳ３１２：鎖線）、処理は、ステップＳ３１６に進む。処理部３１が、線の種類が実線であると判定した場合（ステップＳ３１２：実線）、処理は、ステップＳ３１４に進む。
【０１１９】
ステップＳ３１４：処理部３１は、第１処理を実行する。処理は、終了する。
【０１２０】
ステップＳ３１６：処理部３１は、第２処理を実行する。処理は、終了する。
【０１２１】
以上、図１および図１３〜図１６を参照して説明したように、処理部３１は、線の種類に基づいて、重複領域ＤＲに対応する文字画像ＣＧに対する処理内容を変更する。したがって、ユーザーは、マーキングの線種を変更することによって、処理を容易に変更することができる。したがって、ユーザーの利便性を向上させることができる。
【０１２２】
以上、図面（図１〜図１６）を参照しながら本発明の実施形態を説明した。但し、本発明は、上記の実施形態に限られるものではなく、その要旨を逸脱しない範囲で種々の態様において実施することが可能である（例えば、下記に示す（１）〜（２））。図面は、理解しやすくするために、それぞれの構成要素を主体に模式的に示しており、図示された各構成要素の厚み、長さ、個数等は、図面作成の都合上から実際とは異なる。また、上記の実施形態で示す各構成要素の材質や形状、寸法等は一例であって、特に限定されるものではなく、本発明の効果から実質的に逸脱しない範囲で種々の変更が可能である。
【０１２３】
（１）本発明の実施形態では、情報処理装置１００の一例として、複合機を用いて説明したが、情報処理装置１００は、複合機に限定されない。例えば、情報処理装置１００は、スマートフォンおよびタブレット端末で有りえる。
【０１２４】
（２）本発明の実施形態では、ファイル名の設定について説明したが、本発明はファイル名の設定に限定されない。例えば、ＯＣＲ機能を適用させるか否かを設定してもよい。この場合、処理部３１は、第１処理として、ＯＣＲ機能を適用するように設定する。また第２処理としてＯＣＲ機能を適用しないように設定する。
【符号の説明】
【０１２５】
３１      処理部
３２      第１検出部
３３      第２検出部
３４      第３検出部
３５      算出部
３６      第４検出部
１００    情報処理装置
１２２    表示部
Ａ        確認画面
ＣＧ      文字画像
ＣＲ      文字領域
ＤＲ      重複領域
Ｇ        処理対象画像
ＭＧ      マーキング画像
ＭＲ      マーキング領域
【図１】
2019102927.tif 000003
【図２】
2019102927.tif 000004
【図３】
2019102927.tif 000005
【図４】
2019102927.tif 000006
【図５】
2019102927.tif 000007
【図６】
2019102927.tif 000008
【図７】
2019102927.tif 000009
【図８】
2019102927.tif 000010
【図９】
2019102927.tif 000011
【図１０】
2019102927.tif 000012
【図１１】
2019102927.tif 000013
【図１２】
2019102927.tif 000014
【図１３】
2019102927.tif 000015
【図１４】
2019102927.tif 000016
【図１５】
2019102927.tif 000017
【図１６】
2019102927.tif 000018